(57)【要約】【課題】ケースをスライド作業によってコネクタハウジングに容易に装着でき、しかも、ケースが装着後にガタ付かないコネクタを提供する。【解決手段】相手側光コネクタが嵌合され、スライドガイド溝８を有するコネクタハウジング２と、コネクタハウジング２内に配置された光トランシーバと、スライド掛止部２７を有し、スライド掛止部２７をスライドガイド溝８に係止してスライドさせてコネクタハウジング２に装着されるシールドケース２０とを備えたコネクタであって、スライド掛止部２７には、スライドガイド溝８の幅方向に突出し、かつ、スライドガイド溝８の幅方向に変移可能なバネ部２８が設けられた。【選択図】図６
2012053143.tif 000002
【特許請求の範囲】
【請求項１】
スライドガイド溝を有するハウジングと、
スライド掛止部を有し、前記スライド掛止部を前記スライドガイド溝に係止してスライドさせて前記ハウジングに装着されるケースとを備えたケース装着構造であって、
前記スライド掛止部には、前記スライドガイド溝の幅方向に突出し、かつ、前記スライドガイド溝の幅方向に変移可能なバネ部が設けられたことを特徴とするケース装着構造。
【請求項２】
請求項１記載のケース装着構造であって、
前記バネ部のスライド先端側は、スライド装着方向の後流に向かって徐々に高さを高くする傾斜面であることを特徴とするケース装着構造。
【請求項３】
請求項１又は請求項２記載のケース装着構造であって、
前記スライドガイド溝の入口側には、バネ部をスライドガイド溝に導く傾斜面が形成されていることを特徴とするケース装着構造。
【請求項４】
請求項１〜請求項３のいずれかに記載のケース装着構造であって、
前記バネ部は、前記スライド掛止部の一部より構成されたことを特徴とするケース装着構造。
【発明の詳細な説明】
【技術分野】
【０００１】
本発明は、ハウジングにケースを装着するケース装着構造に関する。
【背景技術】
【０００２】
例えば、自動車内の伝送情報の大容量化、高速化に対処するため、自動車内でも光ファイバケーブルによる光通信システムが採用されるようになってきている。このような光通信システムを構成する車載用光通信部品の一つとして、光トランシーバ（ＦＯＴ：Ｆｉｂｅｒ  Ｏｐｔｉｃａｌ  Ｔｒａｎｓｃｅｉｖｅｒ）を内蔵した光コネクタが用いられる。光トランシーバは、光信号と電気信号間の変換を行い、電磁ノイズの悪影響を受ける可能性がある。そのため、光コネクタのコネクタハウジングの外周には、電磁ノイズ対策のためシールドケースを装着したものが種々提案されている（例えば、特許文献１参照）。
【０００３】
この種の先行例の光コネクタとして本出願人は、図１１〜図１８に示すものを開発した。この光コネクタ５０は、図１１〜図１４に示すように、相手側光コネクタ（図示せず）が嵌合されるコネクタハウジング５１と、このコネクタハウジング５１内に配置される一対の光トランシーバ５２と、コネクタハウジング５１の外周を覆うシールドケース５３とを備えている。
【０００４】
コネクタハウジング５１は、内部に嵌合先端壁６０を有し、この嵌合先端壁６０を境として内部がコネクタ嵌合室６１と部品収容室６２に仕切られている。コネクタ嵌合室６１に相手側コネクタ（図示せず）が嵌合される。コネクタハウジング５１の左右の側壁には、スライドガイド溝６３と係止凹部６４がそれぞれ設けられている。
【０００５】
各光トランシーバ５２は、光電変換素子を内蔵するトランシーバ本体５２ａと円筒状のレンズ付きスリーブ５２ｂとを備えている。一対の光電変換素子は、例えば一方が発光素子であり、他方が受光素子である。トランシーバ本体５２ａは、図１４に示すように、部品収容室６２に配置されている。レンズ付きのスリーブ５２ｂは、嵌合先端壁６０を貫通してコネクタ嵌合室６１に突出されている。
【０００６】
相手側光コネクタの光ファイバ内を伝搬されて来た光は、レンズ付きのスリーブ５２ｂ内を通って受光用の光電変換素子の位置で集束される。受光用の光電変換素子は、受光した光信号を電気信号に変換する。又、送信側の電気信号に基づいて発光用の光電変換素子が発光すると、その光がレンズ付きのスリーブ５２ｂ内を通って相手側光コネクタの光ファイバに入射される。
【０００７】
シールドケース５３は、導電性金属材より形成されている。シールドケース５３の左右の側壁には、一対の係止部７０と一対のスライド掛止部７１がそれぞれ設けられている。係止部７０は、図１５に詳しく示すように、係止凹部６４に係止されている。これにより、シールドケース５３がスライド装着方向Ｓ（図１８に示す）の反対方向に変移しない。スライド掛止部７１は、図１６及び図１７に詳しく示すように、スライドガイド溝６３に係止されている。これにより、シールドケース５３がスライド装着方向Ｓ（図１８に示す）の直交方向である上方向に変移しない。
【０００８】
次に、シールドケース５３の装着手順を説明する。図１８に示すように、スライド掛止部７１をスライドガイド溝６３に係止してシールドケース５３をスライドさせる。スライド完了位置までスライドさせると、係止部７０が弾性復帰変形によって係止凹部６４に入りこむ。これで、シールドケース５３は、コネクタハウジング５１の外周に装着される。
【０００９】
このように、シールドケース５３は、単純なスライド作業のみでコネクタハウジング５１に装着可能である。
【先行技術文献】
【特許文献】
【００１０】
【特許文献１】特開２００６−２１５２７６号公報
【発明の概要】
【発明が解決しようとする課題】
【００１１】
しかしながら、スライドガイド溝６３の幅寸法は、スライド掛止部７１の厚み許容誤差、スムーズなスライド性等を考慮してスライド掛止部７１の厚みに対して余裕を持って大きく設定される。そのため、シールドケース５３のスライド完了位置では、図１６に示すように、スライド掛止部７１が掛止するスライドガイド溝６３の箇所に隙間ｄ（図１６に示す）ができ、シールドケース５３がコネクタハウジング５１に対してガタ付いた状態で装着されるという問題がある。
【００１２】
そこで、本発明は、前記した課題を解決すべくなされたものであり、ケースをスライド作業によってハウジングに容易に装着でき、しかも、ケースが装着後にガタ付かないケース装着構造を提供することを目的とする。
【課題を解決するための手段】
【００１３】
本発明は、スライドガイド溝を有するハウジングと、スライド掛止部を有し、前記スライド掛止部を前記スライドガイド溝に係止してスライドさせて前記ハウジングの外周に装着されるケースとを備えたケース装着構造であって、前記スライド掛止部には、前記スライドガイド溝の幅方向に突出し、かつ、前記スライドガイド溝の幅方向に変移可能なバネ部が設けられたことを特徴とする。
【００１４】
前記バネ部のスライド先端側は、スライド装着方向の後流に向かって徐々に高さを高くする傾斜面であることが好ましい。前記スライドガイド溝の入口側には、バネ部をスライドガイド溝に導く傾斜面を形成することが好ましい。前記バネ部は、前記スライド掛止部の一部より構成することが好ましい。
【発明の効果】
【００１５】
本発明によれば、スライドガイド溝の幅寸法は、スライド掛止部の厚み許容誤差、スムーズなスライド性等を考慮してスライド掛止部の厚みに対して余裕を持って大きく設定され、スライド掛止部とバネ部を合わせた幅寸法は、スライドガイド溝の幅寸法と同じか若干大きくなることが想定される。スライド掛止部及びバネ部のトータル幅寸法がスライドガイド溝の幅寸法より仮に若干大きくてもバネ部が幅寸法を小さくする方向に弾性変移するため、スライド掛止部及びバネ部をスライドガイド溝に挿入でき、且つ、スムーズにスライドできる。そして、スライド完了位置では、スライド掛止部が掛止するスライドガイド溝の箇所には隙間が出来ない。従って、ケースをスライド作業によってハウジングに容易に装着でき、しかも、ケースが装着後にガタ付かない。
【図面の簡単な説明】
【００１６】
【図１】本発明の第１実施形態を示し、光コネクタの分解斜視図である。
【図２】本発明の第１実施形態を示し、光コネクタの側面図である。
【図３】本発明の第１実施形態を示し、コネクタハウジングの正面図である。
【図４】本発明の第１実施形態を示し、光コネクタの要部断面図である。
【図５】本発明の第１実施形態を示し、図２のＡ１−Ａ１線断面図である。
【図６】本発明の第１実施形態を示し、（ａ）は光コネクタの要部側面図、（ｂ）は（ａ）のＢ１−Ｂ１線断面図である。
【図７】本発明の第１実施形態を示し、シールドケースの装着過程を示す側面図である。
【図８】本発明の第２実施形態を示し、コネクタハウジングの側面図である。
【図９】本発明の第２実施形態を示し、シールドケースの装着初期過程を示す要部側面図である。
【図１０】本発明の第２実施形態を示し、シールドケースの装着過程を示す要部側面図である。
【図１１】先行例を示し、光コネクタの分解斜視図である。
【図１２】先行例を示し、光コネクタの側面図である。
【図１３】先行例を示し、コネクタハウジングの正面図である。
【図１４】先行例を示し、光コネクタの要部断面図である。
【図１５】先行例を示し、図１４のＡ２−Ａ２線断面図である。
【図１６】先行例を示し、光コネクタの要部側面図である。
【図１７】先行例を示し、図１６のＢ２−Ｂ２線断面図である。
【図１８】先行例を示し、シールドケースの装着過程を示す側面図である。
【発明を実施するための形態】
【００１７】
以下、本発明の実施形態を図面に基づいて説明する。
【００１８】
（第１実施形態）
図１〜図７は本発明のケース装着構造を光コネクタに適用した第１実施形態を示す。図１〜図４において、光コネクタ１Ａは、相手側光コネクタ（図示せず）が嵌合されるハウジングであるコネクタハウジング２と、このコネクタハウジング２内に配置される一対の光トランシーバ１０と、コネクタハウジング２の外周を覆うケースであるシールドケース２０とを備えている。
【００１９】
コネクタハウジング２は、合成樹脂材より形成されている。コネクタハウジング２は、基板（図示せず）等に固定される。コネクタハウジング２は、方形枠体状の外壁３とこの内部を仕切る嵌合先端壁４を有している。コネクタハウジング２の内部には、嵌合先端壁４を境としてコネクタ嵌合室５と部品収容室６が設けられている。コネクタ嵌合室５に相手側コネクタ（図示せず）が嵌合される。嵌合先端壁４には、コネクタ嵌合室５と部品収容室６を連通する一対の貫通穴７が設けられている。
【００２０】
外壁３の左右の側壁３ａには、水平方向に延びる一対のスライドガイド溝８と垂直方向に沿う一対の係止凹部９が設けられている。スライドガイド溝８の入口は、側壁３ａの後端面に開口している。スライドガイド溝８の幅寸法は、下記するスライド掛止部２７の厚み許容誤差、スムーズなスライド性等を考慮してスライド掛止部２７の厚みに対して余裕を持って大きく設定される。
【００２１】
各光トランシーバ１０は、光電変換素子（特に、符号を付さず）を内蔵するトランシーバ本体１０ａと円筒状のレンズ付きスリーブ１０ｂとを備えている。一対の光電変換素子は、例えば一方が発光素子であり、他方が受光素子である。トランシーバ本体１０ａは、図４に示すように、部品収容室６に配置されている。レンズ付きのスリーブ１０ｂは、嵌合先端壁４の貫通穴７よりコネクタ嵌合室５に突出されている。スリーブ１０ｂは、相手側光コネクタの光ファイバ（図示せず）の先端部を所定位置に位置決めする。
【００２２】
相手側光コネクタの光ファイバ内を伝搬されて来た光は、レンズ付きのスリーブ１０ｂ内を通って受光用の光電変換素子の位置で集束される。受光用の光電変換素子は、受光した光信号を電気信号に変換する。又、送信側の電気信号に基づいて発光用の光電変換素子が発光すると、その光がレンズ付きのスリーブ１０ｂ内を通って相手側光コネクタの光ファイバに入射される。
【００２３】
シールドケース２０は、導電性の金属板を打ち抜き、折り曲げ加工して形成されている。シールドケース２０は、前面側及び底面側が開口された方形箱体状であり、上面部２１と左右の側面部２２と後面部２３と仕切面部（図示せず）と複数のグランドピン２５とを備えている。シールドケース２０の左右の側面部２２には、一対の係止部２６と一対のスライド掛止部２７がそれぞれ設けられている。各係止部２６及びスライド掛止部２７は、側面部２２の一部の周囲を切り欠き、且つ、その一部を内側に折曲することによってそれぞれ形成されている。つまり、各係止部２６及び各スライド掛止部２７は、シールドケース２０に一体に形成されている。係止部２６は、図５に詳しく示すように、係止凹部９に係止されている。これにより、シールドケース２０は、スライド装着方向Ｓ（図７に示す）の反対方向に変移しないように位置決めされる。
【００２４】
各スライド掛止部２７には、図６（ａ）、（ｂ）に詳しく示すように、バネ部２８がそれぞれ設けられている。バネ部２８は、スライド掛止部２７の一部の周囲を切り欠き、且つ、その一部を上方に突出させるよう折曲することによって形成されている。つまり、バネ部２８は、スライド掛止部２７の一部を利用して構成されている。バネ部２８は、スライドガイド溝８の幅方向に突出し、かつ、スライドガイド溝８の幅方向に弾性変移可能に設けられている。バネ部２８のスライド先端側は、スライド装着方向Ｓ（図７に示す）の後流に向かって徐々に高さを高くする傾斜面２８ａに形成されている。バネ部２８のスライド後端側は、スライド装着方向Ｓ（図７に示す）の後流に向かって徐々に高さを低くする傾斜面２８ｂに形成されている。
【００２５】
スライド掛止部２７及びバネ部２８は、スライドガイド溝８に係止されている。これにより、シールドケース２０はスライド装着方向Ｓ（図７に示す）の直交方向である上方向に変移しないように位置決めされる。
【００２６】
後面部２３には、一対の押圧バネ部（図示せず）が一体に形成されている。一対の押圧バネ部は、後面部２３の一部の周囲を切り欠き、且つ、その一部を内側に突出させるよう折曲することによって形成されている。一対の押圧バネ部は、シールドケース２０の装着位置では、各光トランシーバ１０の後面を弾性復帰力で押圧する。これにより、一対の光トランシーバ１０は、コネクタハウジング２に固定される。
【００２７】
仕切面部（図示せず）は、後面部２３の中央より内部に向かって突出している。仕切面部は、シールドケース２０の装着位置では、一対の光トランシーバ１０のトランシーバ本体１０ａ間に配置される。これにより、一対の光トランシーバ１０間の互いの電磁ノイズによる悪影響が極力防止される。
【００２８】
各グランドピン２５は、光コネクタ１Ａが実装される基板（図示せず）のアース用導体部に半田付け等によって接続される。
【００２９】
次に、シールドケース２０の装着手順を説明する。図８に示すように、シールドケース２０のスライド掛止部２７をコネクタハウジング２のスライドガイド溝８の入口に位置合わせし、シールドケース２０をスライドさせる。すると、スライドガイド溝８にスライド掛止部２７と共にバネ部２８も入り込み、シールドケース２０がスライドガイド溝８にガイドされてスライドする。シールドケース２０がスライド完了位置までスライドすると、係止部２６が弾性復帰変形によって係止凹部９に入りこむ。これで、シールドケース２０は、コネクタハウジング２の外周に装着される。このように、シールドケース２０は、単純なスライド作業のみでコネクタハウジング２に装着される。
【００３０】
ここで、スライドガイド溝８の幅寸法は、スライド掛止部２７の厚み許容誤差、スムーズなスライド性等を考慮してスライド掛止部２７の厚みに対して余裕を持って大きく設定され、スライド掛止部２７とバネ部２８を合わせた幅寸法は、スライドガイド溝８の幅寸法と同じか若干大きくなることが想定される。スライド掛止部２７及びバネ部２８のトータル幅寸法がスライドガイド溝８の幅寸法より仮に若干大きくてもバネ部２８が幅寸法を小さくする方向に弾性変移するため、スライド掛止部２７及びバネ部２８をスライドガイド溝８に挿入でき、且つ、スムーズにスライドできる。そして、スライド完了位置では、スライド掛止部２７が掛止するスライドガイド溝８の箇所には、図６（ａ）、（ｂ）に示すように、隙間が出来ない。従って、シールドケース２０をスライド作業によってコネクタハウジング２に容易に装着でき、しかも、シールドケース２０が装着後にコネクタハウジング２に対してガタ付かない。
【００３１】
バネ部２８のスライド先端側は、スライド装着方向Ｓ（図７に示す）の後流に向かって徐々に高さを高くする傾斜面２８ａである。従って、スライド掛止部２７とバネ部２８をスライドガイド溝８にスムーズに入り込ませることができるため、シールドケース２０の装着作業性が良い。
【００３２】
バネ部２８は、スライド掛止部２７の一部より構成されている。従って、バネ部２８を部品点数の増加なく形成できる。
【００３３】
シールドケース２０のスライド完了位置までのスライド過程で、一対の押圧バネ部が各光トランシーバ１０に当接し、その後のシールドケース２０のスライド移動によって各光トランシーバ１０を押圧する。従って、シールドケース２０の単純なスライド作業によって、コネクタハウジング２の装着と共に光トランシーバ１０の固定を同時に行うことができる。しかも、シールドケース２０のスライド装着方向Ｓが光トランシーバ１０の押圧方向であるので、各押圧バネ部が各光トランシーバ１０の後面を摺動することなくスムーズに押圧する。従って、シールドケース２０の良好なスライド作業性を維持しつつ光トランシーバ１０の固定を行うことができる。
【００３４】
（第２実施形態）
図８〜図１０は、本発明のケース装着構造を光コネクタに適用した第２実施形態を示す。この第２実施形態の光コネクタ１Ｂは、前記第１実施形態のものと比較するに、スライドガイド溝８の入口側には、バネ部２８をスライドガイド溝８に導く傾斜面８ａが形成されている点が相違する。バネ部２８がスライド掛止部２７の上方に設けられているので、スライドガイド溝８の入口側の上面が傾斜面８ａに設けられている。
【００３５】
他の構成は、前記第１実施形態と同様であるため、説明を省略する。図面の同一構成箇所には同一符号を付して明確化を図る。
【００３６】
この第２実施形態でも、前記第１実施形態と同様に、シールドケース２０をスライド作業によってコネクタハウジング２に容易に装着でき、しかも、シールドケース２０が装着後にコネクタハウジング２に対してガタ付かない。
【００３７】
スライドガイド溝８の入口側には、バネ部２８をスライドガイド溝８に導く傾斜面８ａが形成されているので、スライド掛止部２７とバネ部２８をスライドガイド溝８にスムーズに入り込ませることができるため、シールドケース２０の装着作業性が良い。
【００３８】
（その他）
各実施形態では、バネ部２８は、スライド掛止部２７の上方に設けられているが、スライド掛止部２７の下方に設けても、又、スライド掛止部２７の上方と下方の双方に設けても良い。第２実施形態にあっては、バネ部２８をスライド掛止部２７の下方に設ける場合には、スライドガイド溝８の入口側の下面を傾斜面８ａに設け、又、バネ部２８をスライド掛止部２７の上方と下方の双方に設ける場合には、スライドガイド溝８の入口側の上面と下面の双方を傾斜面８ａに設けることが好ましい。
【００３９】
各実施形態では、本発明のケース装着構造を光コネクタ１Ａ，１Ｂに適用したが、光コネクタ１Ａ，１Ｂ以外のコネクタ、及び、コネクタ以外のものにも適用可能である。
【００４０】
各実施形態では、ケースは、シールドケース２０であるが、シールドケース２０以外のケースにも本発明を適用可能である。
【符号の説明】
【００４１】
１Ａ，１Ｂ  光コネクタ
２  コネクタハウジング（ハウジング）
８  スライドガイド溝
８ａ  傾斜面
２０  シールドケース（ケース）
２７  スライド掛止部
２８  バネ部
２８ａ  傾斜面
【図１】
2012053143.tif 000003
【図２】
2012053143.tif 000004
【図３】
2012053143.tif 000005
【図４】
2012053143.tif 000006
【図５】
2012053143.tif 000007
【図６】
2012053143.tif 000008
【図７】
2012053143.tif 000009
【図８】
2012053143.tif 000010
【図９】
2012053143.tif 000011
【図１０】
2012053143.tif 000012
【図１１】
2012053143.tif 000013
【図１２】
2012053143.tif 000014
【図１３】
2012053143.tif 000015
【図１４】
2012053143.tif 000016
【図１５】
2012053143.tif 000017
【図１６】
2012053143.tif 000018
【図１７】
2012053143.tif 000019
【図１８】
2012053143.tif 000020